(57)【要約】【課題】左側前身頃１２と右側前身頃１４との掛け留めが容易になされるシャツ１０の提供。【解決手段】シャツ１０は、左側前身頃１２と右側前身頃１４とを備えている。左側前身頃１２の一部は、右側前身頃１４の一部とオーバーラップしている。左側前身頃１２の裏側には、糸１６により、留め具２が取り付けられている。糸１６は、水平方向に対して若干傾斜している。右側前身頃１４には、紐体１８が取り付けられている。紐体１８は、右側前身頃１４を貫通している。紐体１８は、右側前身頃１４の表側に露出してる。紐体１８と右側前身頃１４とにより形成されるループに、留め具２の舌状片６が挿入される。留め具２を介して、左側前身頃１２と右側前身頃１４とが掛け留めされる。【選択図】図２
2007146327.tif 000002
【特許請求の範囲】
【請求項１】
一方の服地に取り付けられており、この服地との間にループを形成する紐体
並びに
張出部、この張出部から実質的に下方に延在しこの張出部よりも幅狭である舌状片及び係止部を備えており、この係止部によって他方の服地に取り付けられた留め具
からなり、
上記ループに上記舌状片が挿入されることにより、一方の服地と他方の服地とが掛け留められるように構成された衣服の掛け留め構造。
【請求項２】
左側前身頃、右側前身頃、紐体及び留め具を備えており、
この紐体が、左側前身頃及び右側前身頃のうちの一方に取り付けられてループを形成しており、
この留め具が、張出部、この張出部から実質的に下方に延在しこの張出部よりも幅狭である舌状片及び係止部を備えており、
この留め具が、この係止部によって左側前身頃及び右側前身頃のうちの他方に取り付けられており、
上記ループに上記舌状片が挿入されることにより、左側前身頃と右側前身頃とが掛け留められるように構成されシャツ。
【発明の詳細な説明】
【技術分野】
【０００１】
本発明は、衣服の服地同士を掛け留めるための構造に関する。
【背景技術】
【０００２】
衣服の身頃の一般的な掛け留め方法として、ボタン方式とファスナー方式とがある。ボタン方式では、ボタンがボタン穴に挿通されることによって、左右の身頃が掛け留められる。ファスナー方式では、左右の身頃の間に取り付けられた帯状のスライドファスナーの務歯（ティース）が噛み合わされることによって、左右の身頃が掛け留められる。
【発明の開示】
【発明が解決しようとする課題】
【０００３】
幼児、老齢者及び手の不自由な人の握力は低いので、指先で物を摘む力が弱い。このような人たちは、指先で物を摘み、この物を所定の位置に誘導するという動作を不得手としている。このため、幼児、老齢者及び手の不自由な人にとって、ボタン穴にボタンを挿通すること及びスライドファスナーの務歯を噛みあわせることは、容易ではない。
【０００４】
本発明の目的は、服地同士の掛け留めが容易になされる掛け留め構造の提供にある。
【課題を解決するための手段】
【０００５】
本発明に係る掛け留め構造は、紐体と留め具とからなる。この紐体は、一方の服地に取り付けられており、この服地との間にループを形成する。この留め具は、張出部、この張出部から実質的に下方に延在しこの張出部よりも幅狭である舌状片及び係止部を備える。この係止部によって、留め具は他方の服地に取り付けられる。ループに舌状片が挿入されることにより、一方の服地と他方の服地とが掛け留められる。
【０００６】
本発明に係るシャツは、左側前身頃、右側前身頃、紐体及び留め具を備える。この紐体は、左側前身頃及び右側前身頃のうちの一方に取り付けられてループを形成している。この留め具は、張出部、この張出部から実質的に下方に延在しこの張出部よりも幅狭である舌状片及び係止部を備える。この留め具は、この係止部によって左側前身頃及び右側前身頃のうちの他方に取り付けられている。ループに舌状片が挿入されることにより、左側前身頃と右側前身頃とが掛け留められる。
【発明の効果】
【０００７】
本発明に係る掛け留め構造により、幼児、老齢者及び障害者は、容易に服地同士を掛け留めできる。
【発明を実施するための最良の形態】
【０００８】
以下、適宜図面が参照されつつ、好ましい実施形態に基づいて本発明が詳細に説明される。
【０００９】
図１（ａ）は本発明の一実施形態に係る掛け留め構造に用いられる留め具２が示された正面図であり、図１（ｂ）はその右側面図である。この留め具２は、全体として板状である。この留め具２は、張出部４と舌状片６とを備えている。張出部４は、高さ方向の中央において、括れている。この括れは、係止部８を構成する。舌状片６は、張出部４から実質的に下方に延在している。舌状片６は、張出部４よりも幅狭である。舌状片６は、若干湾曲している。舌状片６は、図１（ａ）における右向きに凸である。
【００１０】
図２は、図１の留め具２が用いられたシャツ１０が示された正面図である。図３は、図２のシャツ１０の一部が示された拡大図である。このシャツ１０は、一方の服地である左側前身頃１２と、他方の服地である右側前身頃１４とを備えている。左側前身頃１２の一部は、右側前身頃１４の一部とオーバーラップしている。オーバーラップ部分において、左側前身頃１２は、右側前身頃１４の上に位置している。
【００１１】
左側前身頃１２の裏側には、糸１６により、留め具２が取り付けられている。糸１６は、係止部８を通過し、左側前身頃１２を貫通している。図１から明らかなように、張出部４のうち係止部８よりも上側及び下側は、係止部８よりも幅広である。従って、留め具２は糸１６から抜脱しない。糸１６は、水平方向に対して若干傾斜している。糸１６は、着用者によって左上がりである。
【００１２】
右側前身頃１４には、紐体１８が取り付けられている。紐体１８は、右側前身頃１４を貫通している。紐体１８は、右側前身頃１４の表側に露出してる。紐体１８は、水平方向に対して若干傾斜している。紐体１８は、着用者によって左上がりである。好ましくは、紐体１８として、ゴム糸が用いられる。紐体１８として、木綿糸、絹糸等が用いられてもよい。
【００１３】
図４は図３のIV−IV線に沿った拡大断面図であり、図５は図３のＶ−Ｖ線に沿った拡大断面図であり、図６は図３のVI−VI線に沿った拡大断面図である。図６から明らかなように、紐体１８は、右側前身頃１４との間にループ２０を形成している。このループ２０に、舌状片６が挿入されている。前述のように、舌状片６は湾曲しているので、舌状片６のループ２０からの意図せぬ抜脱が生じにくい。このシャツ１０では、左側前身頃１２と右側前身頃１４とが、留め具２及び紐体１８を介して掛け留められる。
【００１４】
このシャツ１０において左側前身頃１２と右側前身頃１４とが掛け留められるには、着用者がまず、舌状片６の下端をループ２０に差し込む。紐体１８は前述の通り傾いているので、着用者は下端をループ２０に容易に差し込むことができる。次に着用者は、舌状片６を深くループ２０に差し込む。これにより、紐体１８は舌状片６の付け根近傍に位置する。こうして、左側前身頃１２と右側前身頃１４とが掛け留めされる。この動作は、ボタン、スライドファスナー等で掛け留めがなされる場合に比べ、きわめて簡便である。この掛け留め構造により、幼児、高齢者及び身体障害者が、容易にシャツ１０を着ることができる。
【００１５】
着用者が、右側前身頃１４を左側前身頃１２に対して相対的に下方に移動させると、ループ２０から舌状片６が抜ける。これにより、左側前身頃１２と右側前身頃１４との掛け留めが解除される。着用者は、複数の舌状片６を同時にループ２０から抜くこともできる。着用者は、容易にシャツ１０を脱ぐことができる。
【００１６】
左側前身頃１２の裏側にループが形成され、右側前身頃の表側に留め具２が取り付けられてもよい。オーバーラップ部分において、右側前身頃１４が左側前身頃１２の上に位置してもよい。
【００１７】
図７（ａ）は本発明の他の実施形態に係る掛け留め構造に用いられる留め具２２が示された正面図であり、図７（ｂ）はその右側面図である。この留め具２２は、全体として板状である。この留め具２２は、張出部２４と、舌状片２６と、係止部２８とを備えている。舌状片２６は、張出部２４から実質的に下方に延在している。舌状片２６は、張出部２４よりも幅狭である。舌状片２６は、若干湾曲している。舌状片２６は、図７（ａ）における右向きに凸である。係止部２８は、張出部２４及び舌状片２６に対して括れている。
【００１８】
この留め具２２も、糸３０によって左側前身頃の裏側に取り付けられる。この留め具２２の舌状片２６も、紐体３２によって右側前身頃に形成されたループ２０に挿入される。挿入により、左側前身頃と右側前身頃とが掛け留めされる。
【産業上の利用可能性】
【００１９】
本発明に係る掛け留め構造は、シャツ以外の種々の衣服に適用されうる。例えば、シャツの身頃と襟との掛け留めに、この掛け留め構造が用いられてもよい。
【図面の簡単な説明】
【００２０】
【図１】図１（ａ）は本発明の一実施形態に係る掛け留め構造に用いられる留め具が示された正面図であり、図１（ｂ）はその右側面図である。
【図２】図２は、図１の留め具が用いられたシャツが示された正面図である。
【図３】図３は、図２のシャツの一部が示された拡大図である。
【図４】図４は、図３のIV−IV線に沿った拡大断面図である。
【図５】図５は、図３のＶ−Ｖ線に沿った拡大断面図である。
【図６】図６は、図３のVI−VI線に沿った拡大断面図である。
【図７】図７（ａ）は本発明の他の実施形態に係る掛け留め構造に用いられる留め具が示された正面図であり、図７（ｂ）はその右側面図である。
【符号の説明】
【００２１】
２、２２・・・留め具
４、２４・・・張出部
６、２６・・・舌状片
８、２８・・・係止部
１０・・・シャツ
１２・・・左側前身頃
１４・・・右側前身頃
１６、２８・・・糸
１８、３２・・・紐体
２０・・・ループ
【図１】
2007146327.tif 000003
【図２】
2007146327.tif 000004
【図３】
2007146327.tif 000005
【図４】
2007146327.tif 000006
【図５】
2007146327.tif 000007
【図６】
2007146327.tif 000008
【図７】
2007146327.tif 000009